(57)【要約】【課題】  足の長手方向軸線を中心とした足の回転運動（即ち、足の裏を足の幅方向に傾ける運動）を体験することができる、即ち、三次元的な動きを体験可能な練習装置を提供すること。【解決手段】  本発明の練習装置１は、ベースプレート２と、ベースプレートに対してスライド可能にベースプレート上に連結されたスライドプレート４と、使用者の足が載置されるステッププレート１０を有し、スライドプレートの上面に回転可能に連結される回転部と、ステッププレートを、水平面から傾斜した傾斜位置に移動可能とする傾斜機構８、３２、３６と、を備えている。【選択図】  図１
2014097159.tif 000002
【特許請求の範囲】
【請求項１】
練習装置であって、
ベースプレートと、
該ベースプレートに対してスライド可能に前記ベースプレート上に連結されたスライドプレートと、
使用者の足が載置されるステッププレートを有し前記スライドプレートの上面に回転可能に連結される回転部と、
前記ステッププレートを、水平面から傾斜した傾斜位置に移動可能とする傾斜機構と、を備えている、
ことを特徴とする練習装置。
【請求項２】
前記回転部が、前記ステッププレートの下方に配置され、前記スライドプレートに回転可能に連結された旋回プレートを有し、
前記傾斜機構が、前記ステッププレートと前記旋回プレートとの間で水平方向に延びるように配置された支点シャフトを備え、
前記ステッププレートの下面と前記旋回プレートの上面とに、前記支点シャフトを回転可能に支持する支持部材が設けられている、
請求項１に記載の練習装置。
【請求項３】
前記ステッププレートを水平位置に向けて付勢する付勢手段をさらに備えている、
請求項２に記載の練習装置。
【請求項４】
前記傾斜機構が、前記スライドプレートの上面に形成され上方に向かって開口する略半球状の凹部と、該ステッププレートの下面に取付けられ前記凹部の直径と略等しい直径を有する半球部を備えた支点部材と、を有し、
前記ステッププレートは、前記半球部が前記スライドプレートの凹部に収容された状態で、前記スライドプレートに連結され、
前記ステッププレートは、前記半球部が前記スライドプレートの凹部内で回転することにより、前記半球部を中心に水平面内で回転し、且つ前記半球部を中心に全周に傾斜できる、
請求項１に記載の練習装置。
【請求項５】
前記ステッププレートを水平位置に向けて付勢する付勢手段をさらに備えている、
請求項４に記載の練習装置。
【請求項６】
前記付勢手段が、前記凹部の周囲に設けられた複数の孔と、該各孔内に配置されたスプリングと、該各スプリングと前記ステッププレートの下面との間に配置された支え部材とを有する、
請求項５に記載の練習装置。
【発明の詳細な説明】
【技術分野】
【０００１】
本発明は、概略的には練習装置に関連し、詳細には、スキー等のスポーツの技術を習得する際に使用する練習装置に関する。
【背景技術】
【０００２】
スキー等の技術を習得する際に使用する練習装置としては、例えば、特開平7-328146号公報（特許文献１）に記載されている「ツイストスキートレーニング遊具」が知られている。
【０００３】
この装置は、第１の枠体に設けられた矩形の開口内で左右に摺動かつ自転可能な円形の第２の枠体に、一対の自転可能なターンテーブルが配置された構造を備えている。使用者は、一対の自転可能なターンテーブルのそれぞれに左右の足を載せて、スキー滑走中に行われるような運動を行うことにより、スキー滑走中に行われる、左右へのスライド運動、左右の足の独立したツイスト運動、および左右の足の前後差を作る運動が合成された動きを体験することができる。
【先行技術文献】
【特許文献】
【０００４】
【特許文献１】特開平７−３２８１４６号公報
【発明の概要】
【発明が解決しようとする課題】
【０００５】
上記先行技術の装置（遊具）は、左右のスライド、ツイスト等の複数種類の運動が合成された動きを体験することが可能であるが、これら運動のすべては、同一平面上における二次元的な運動であった。
【０００６】
一方、近年のスキー技術においては、ターンに際して、内足のインエッジ、外足のアウトエッジの操作等の三次元的な動きが重要視されてきている。しかしながら、上記先行技術の装置（遊具）では、このような三次元的な動きを体験することができなかった。
【０００７】
このため、足の長手方向軸線を中心とした足の回転運動（即ち、足の裏を足の幅方向に傾ける運動）を体験することができる、即ち、三次元的な動きも体験可能な練習装置が求められている。
【０００８】
本発明は上記要請に応じてなされたものであり、足の長手方向軸線を中心とした足の回転運動（即ち、足の裏を足の幅方向に傾ける運動）を体験することができる、即ち、三次元的な動きを体験可能な練習装置を提供することを目的とする。
【課題を解決するための手段】
【０００９】
本発明によれば、
練習装置であって、
ベースプレートと、
該ベースプレートに対してスライド可能に前記ベースプレート上に連結されたスライドプレートと、
使用者の足が載置されるステッププレートを有し前記スライドプレートの上面に回転可能に連結される回転部と、
前記ステッププレートを、水平面から傾斜した傾斜位置に移動可能とする傾斜機構と、を備えている、ことを特徴とする練習装置が提供される。
【００１０】
このような構成を有する本発明の練習装置は、２台の練習装置を並列配置し、使用者が、左右の練習装置のステッププレートのそれぞれに左右の足を載せて使用される。
尚、本明細書において、「足」とは、股関節から先端側の部分を指す「脚」のうちの足首から先端側の部分を指す。
【００１１】
本発明の練習装置では、ステッププレートが水平面から傾斜した傾斜位置に移動できるので、使用者は、スライドプレートに連結されたステッププレートをベースプレートに対してスライドさせ且つ回転させながら、ステッププレートに載せた足を傾斜させ（即ち、足の裏を巾方向に傾斜させ）、種々の三次元運動を行うことができる。
【００１２】
本発明の好ましい実施形態によれば、
前記回転部が、前記ステッププレートの下方に配置され、前記スライドプレートに回転可能に連結された旋回プレートを有し、
前記傾斜機構が、前記ステッププレートと前記旋回プレートとの間で水平方向に延びるように配置された支点シャフトを備え、
前記ステッププレートの下面と前記旋回プレートの上面とに、前記支点シャフトを回転可能に支持する支持部材が設けられている。
【００１３】
このような構成によれば、ステッププレートが水平方向に延びる回転軸（支点シャフト）を中心に回転可能とされているので、使用者は、ステップ台に乗せた足を足の長手方向軸線を中心に沿って内側または外側に傾斜させ（即ち、足の裏を巾方向に傾斜させ）、スキー操作におけるインエッジを立てる動き或いはアウトエッジを立てる動きに類似する三次元運動を、練習装置上で行うことができる。
【００１４】
本発明の他の好ましい態様によれば、
前記ステッププレートを水平位置に向けて付勢する付勢手段をさらに備えている、
【００１５】
このような構成によれば、ステッププレートに足が載せられていない状態（非使用時）には、ステッププレートは水平に維持されるので、使用開始時に、足を載せ易くなる。
また、付勢手段による付勢力を適宜、調整することにより、スキー操作時にエッヂ操作を行った際の雪面からの抵抗を再現することが可能となる。
【００１６】
本発明の他の好ましい態様によれば、
前記傾斜機構が、前記スライドプレートの上面に形成され上方に向かって開口する略半球状の凹部と、該ステッププレートの下面に取付けられ前記凹部の直径と略等しい直径を有する半球部を備えた支点部材と、を有し、
前記ステッププレートは、前記半球部が前記スライドプレートの凹部に収容された状態で、前記スライドプレートに連結され、
前記ステッププレートは、前記半球部が前記スライドプレートの凹部内で回転することにより、前記半球部を中心に水平面内で回転し、且つ前記半球部を中心に全周に傾斜できる。
【００１７】
このような構成によれば、ステッププレートが、傾斜機構によって全周方向に傾斜する。従って、使用者は、ステッププレートに載せた足を左右方向のみならず前後方向さらに斜め方向にも傾斜させ、多種の三次元運動を体験することができる。
【００１８】
本発明の他の好ましい態様によれば、
前記ステッププレートを水平位置に向けて付勢する付勢手段をさらに備えている、
請求項３に記載の練習装置。
【００１９】
このような構成によれば、ステッププレートに足が載せられていない状態（非使用時）には、ステッププレートは水平に維持されるので、使用開始時に、足を載せ易くなる。
また、付勢手段による付勢力を適宜、設定することにより、スキー操作時にエッヂ操作を行った際の雪面からの抵抗を再現することが可能となる。
【００２０】
本発明の他の好ましい態様によれば、前記付勢手段が、前記凹部の周囲に設けられた複数の孔と、該各孔内に配置されたスプリングと、該各スプリングと前記ステッププレートの下面との間に配置された支え部材とを有する。
【発明の効果】
【００２１】
以上のように、上記構成を有する本発明によれば、足の長手方向軸線を中心とした足の回転運動（即ち、足の裏を足の幅方向に傾ける運動）を体験することができる、即ち、三次元的な動きを体験可能な練習装置が提供される。
【図面の簡単な説明】
【００２２】
【図１】本発明の第１実施形態の練習装置の分解斜視図である。
【図２】本発明の第１実施形態の練習装置の斜視図である。
【図３】本発明の第１実施形態の練習装置の練習装置の平面図である。
【図４】図３の  Ａ−Ａ線に沿った断面図である。
【図５】本発明の第１実施形態の練習装置の練習装置の側面図である。
【図６】本発明の第２実施形態の練習装置の分解斜視図である。
【図７】本発明の第２実施形態の練習装置の平面図である。
【図８】本発明の第２実施形態の練習装置の側面図である。
【図９】本発明の第２実施形態の練習装置の底面図である。
【図１０】図７のＢ−Ｂ線に沿った断面図である。
【図１１】図７のＣ−Ｃ線に沿った断面図である。
【発明を実施するための形態】
【００２３】
以下、本発明の好ましい実施形態について、図面に沿って詳細に説明する。
先ず、本発明の第１実施形態の練習装置１について説明する。図１は、練習装置１の分解斜視図である。図２は、練習装置１の斜視図であり、図３は、練習装置１の平面図である。さらに、図４は図３のＡ−Ａ線に沿った断面図であり、図５は練習装置１の側面図である。
【００２４】
図１ないし図５に示されているように、本実施形態の練習装置１は、ベースプレート２と、ベースプレート２上にスライド可能に連結された円形のスライドプレート４と、このスライドプレート４に直交する軸線を中心にスライドプレート４に対して相対回転可能に連結された円形の旋回プレート６とを備えている。
【００２５】
本実施形態の練習装置１は、さらに、旋回プレート６上で水平方向に延びるように配置された回転軸である支点シャフト８と、この支点シャフト８を中心に回動可能に旋回プレート６に連結された略長円形のステッププレート１０とを備えている、
【００２６】
スライドプレート４は、円板状部材であり、外周に沿って環状に延び、上方に向かって開口する下方ガイド溝１２を備えている。また、旋回プレート６は、スライドプレート４と略同一径の円盤状部材であり、外周に沿って環状に延び、下方に向かって開口する上方ガイド溝１４を備えている。
【００２７】
図４に示されているように、スライドプレート４と旋回プレート６は、上下に重なり合って配置されている。スライドプレート４の下方ガイド溝１２と旋回プレート６の上方ガイド溝１４は、スライドプレート４と旋回プレート６が上下に重なり合って配置されたとき、上下方向に整列し円環状の空間を形成するように構成されている。
【００２８】
図５に示されているように、スライドプレート４と旋回プレート６の間には、環状のガイドリング１６が配置されている。ガイドリング１６は、環状の下方ガイド溝１２と上方ガイド溝１４の巾より広い巾を有し、上下方向に整列した下方ガイド溝１２と上方ガイド溝１４によって形成された円環状の空間を上下に二分するように配置されている。
【００２９】
ガイドリング１６は、巾（径方向）中央位置に、所定の角度間隔で設けられた複数の貫通穴１８を備えている。各貫通穴１８は、同一の円形断面形状を有し、練習装置１では、３０度の角度間隔で、合計１２個形成されている。
各貫通穴１８内には、硬質の金属、プラスチック等で形成された硬球２０が配置されている。各硬球２０は、貫通穴１８の直径より若干小さく、且つ上下方向に整列した下方ガイド溝１２と上方ガイド溝１４によって形成された円環状の空間の略円形断面の直径とほぼ等しい直径を有している。
【００３０】
旋回プレート６の中央には、下方に向かって延びる支持ピン２２が固定されている。支持ピン２２の下端は、スライドプレート４の中央に形成された開口２４に回転可能に挿通されている。この結果、旋回プレート６は、スライドプレート４に対して、支持ピン２２を中心に回転可能に連結されることになる。
【００３１】
このような構成では、組み立て状態においては、硬球２０が、ガイドリング１６の貫通穴１８内に回転可能に保持された状態で、上下方向に整列した下方ガイド溝１２の底壁と上方ガイド溝１４の底壁との間に回転可能に挟持されるので、旋回プレート６に円周方向の力が加わると、床面に載置され固定状態にあるスライドプレート４と旋回プレート６との間で硬球２０が回転し、旋回プレート６がスライドプレート４に対して支持ピン２２を中心に矢印Ａ方向に回転運動することになる。
【００３２】
さらに、支持ピン２２には、一対のワッシャ２６、２８に挟持された状態で環状の皿ばね３０が挿通され、各ワッシャ２６、２８を、それぞれ、旋回プレート６およびスライドプレート４の内面に向けて付勢している。
【００３３】
この結果、旋回プレート６と上方のワッシャ２４との間、およびスライドプレート４と下方のワッシャ２８との間に摩擦が生じ、旋回プレート６にこの摩擦によって生じた力以上の円周方向の力が加わったときに、旋回プレート６がスライドプレート４に対して矢印Ａ方向に回転し始めることになる。
【００３４】
図５に示されているように、旋回プレート６の上面中央には、支点シャフト８の支持部となるシャフト取付部３２が形成されている。シャフト取付部３２は、上部の巾方向中央に軸線方向に延びるかまぼこ状の隆起部３２ａを有する細長いブロックであり、中心（長手方向軸線の中間地点）が、旋回プレート６の中心と上下方向に整列するように、旋回プレート６上に配置されている。
【００３５】
また、隆起部３２ａは、支点シャフト８が回転可能に挿通される寸法を有し、隆起部３２ａを軸線方向に貫通するシャフト孔３４を備えている。
【００３６】
旋回プレート６の上方には、支点シャフト８を中心に回転可能すなわち傾斜位置に移動可能に旋回プレート６に連結されたステッププレート１０が配置されている。ステッププレート１０は、頂面に使用者の足（足の裏）が載置される踏み板であり、左右の長辺が内方に向かって湾曲した長円形の形状を有する。
【００３７】
更に、ステッププレート１０の下面には、一対のシャフト保持部３６、３６が設けられている。シャフト保持部３６は、長さが短いかまぼこ状の形状を有し、貫通孔３６ａが形成されている。貫通孔３６ａも、支点シャフト８が回転可能に挿通される寸法を有している。
【００３８】
一対のシャフト保持部３６は、シャフト取付部３２の長さに略等しい距離だけ離間するようにステッププレート１０の下面に配置されている。この結果、ステッププレート１０を旋回プレート６上方の所定位置に配置すると、一対のシャフト保持部３６のそれぞれが、旋回プレート６の上面に取付けられたシャフト取付部３２の長手方向の各端の外方に配置され、一対のシャフト保持部３４がシャフト取付部３２を長手方向両端から挟むことになる。
【００３９】
また、シャフト保持部３４の貫通孔３４ａは、ステッププレート１０が旋回プレート６の上方の所定位置に配置されると、シャフト取付部３２のシャフト孔３２と整列する位置に形成されている。したがって、シャフト孔３２に挿通された支点シャフト８が、各シャフト保持部３４の貫通孔３４ａにも挿通される。
【００４０】
この結果、ステッププレート１０は、支点シャフト８によって、支点シャフト８を中心に矢印Ｂ方向に回動可能に旋回プレート６に連結されることになる。
【００４１】
本実施形態では、シャフト孔３２に挿通された支点シャフト８の両端に抜け止めリング３８、３８が配置される。
【００４２】
さらに、シャフト取付部３２のシャフト孔３２には、ステッププレート１０を水平位置に向けて付勢するように、支点シャフト８を付勢するテンションスプリング４０が配置されている。
【００４３】
図１に示されているように、ベースプレート２には、ベースプレート２を厚さ方向に貫通する一対の長孔４２が形成されている。
【００４４】
各長孔４２は、図４に示されているように、ベースプレート２の下側面に向かって開口する幅広部４２ａと、幅広部４２ａに連通して配置されベースプレート２の上側面に向かって開口する幅狭部４２ｂとを備えている。幅広部４２ａと幅狭部４２ｂとの間には、水平方向に延びる段部４２ｃが形成されている。
【００４５】
各長孔４２内には、円筒状のストッパ４４が配置されている。ストッパ４４は、円筒状の本体部４４ａと本体部４４ａの下端に設けられたフランジ４４ｂとを備えている。このストッパ４４は、上端がスライドプレート４の下面に形成された凹部４ａ内に挿入され、先端が凹部４ａにねじ込まれるボルト４６によってスライドプレート４の下面に固定されている。
【００４６】
本体部４４ａの外径は、本体部４４ａが長孔４２の幅狭部４２ｂ内を摺動可能となるように、長孔４２の幅狭部４２ｂの幅と略等しく設定されている。このようにストッパ４４の本体部４４が長孔４２の幅狭部４２ｂ内を摺動することによって、ストッパ４４の先端が固定されているスライドプレート４が、ベースプレート２に対してスライドすることになる。
【００４７】
ストッパ４４の本体部４４ａの外周には、下方側から順に、円筒状の圧縮バネ４７と円筒状のテンションカラー４８が取付けられている。圧縮バネ４７とテンションカラー４８の外径は、長孔４２の幅狭部４２ｂの幅より大きく設定されている。この結果、ストッパ４４がスライドプレート４の下面に固定された状態では、テンションカラー４８が圧縮バネ４７によって、長孔４２の段部４２ｃに下側から押圧されている状態となる。このテンションカラー４８と長孔４２の段部４２ｃとの間の摩擦抵抗によって、スライドプレート４のベースプレート２に対するスライド抵抗が決定される。
【００４８】
さらに、ベースプレート２の上面の長孔４２の外方位置には、一対のスライド溝５０が形成されている。
【００４９】
スライドプレート４の下面の両側は、複数の半球状の凹部５２が一直線状に形成されている。各凹部５２には、金属または硬質樹脂性の硬球５４の上側半部が、回転可能に収容されている。各硬球５４の下側半部分は、ベースプレート２に形成されたスライド溝５０に回転可能に受け入れられている。
【００５０】
このような構成によれば、ライドプレート４がベースプレート２に対してスライドする際に、上半部分がスライドプレート４の下面の凹部５２に収容されている各硬球５４が、ベースプレート２のスライド溝５０内を転がるので、ライドプレート４のベースプレート２に対するスライドが円滑になる。
【００５１】
又、ステッププレート１０の表面には、滑り止めのゴムシート５４が貼り付けられている。
【００５２】
通常の使用では、２台の練習装置１を、各練習装置１のスライド溝５０が平行になるように並列配置する。そして、ステッププレート１０の長手方向軸線がスライド溝５０が延びる方向と直交する方向に配向するように、各練習装置１のステッププレート１０を平行に配置する。
【００５３】
そして、使用者は、各練習装置１のステッププレート１０に、ステッププレート１０の長手方向軸線が足の長手方向軸線を揃えるように左右の足をそれぞれ載せる。
【００５４】
このような構成によれば、使用者は、ステッププレート１０に載せた足で、支点シャフト８を中心にステッププレートを矢印Ｂ方向に回転させ（即ち、足の裏を巾方向に傾斜させ）、ステッププレート１０に連結された旋回プレート６をベースプレート２に対して回転させ、さらに旋回プレート６をベースプレート２に対してスライド溝５０方向にスライドさせることができる。
【００５５】
この結果、足を回転（ピボット）させ且つ脚を開閉させながら、スキー操作におけるインエッジを立てる動き或いはアウトエッジを立てる動きに類似する三次元運動を体験することができる。
【００５６】
次に、本発明の第２実施形態の練習装置１００について説明する。
図６は、練習装置１００の分解斜視図である。図７は、練習装置１００の平面図であり、図８は練習装置１００の側面図であり、図９は練習装置１００の底面図である。さらに、図１０は、図７のＢ−Ｂ線に沿った断面図であり、図１１は図７のＣ−Ｃ線に沿った断面図である。
【００５７】
図６ないし図１１に示されているように、本実施形態の練習装置１００は、ベースプレート１０２と、ベースプレート１０２上にスライド可能に連結された円形のスライドプレート１０４と、このスライドプレート１０４に回転可能に連結されたステッププレート１０６とを備えている。
本実施形態では、ステッププレート１０６は円形の下部分１０６ａと下部分１０６ａの上部に取付けられた略長円形のステップ部分１０６ｂとを備えている。
【００５８】
スライドプレート１０４の中央上面には、上方に向かって開口した略半球状の凹部１０８が形成されている。一方、ステッププレート１０６の下面には、スライドプレート１０４の凹部１０８と内径より僅かに大きな外径を有する略球状の支点球１１０が取付けられている。
【００５９】
支点球１１０は、ステッププレート１０６の中央を厚さ方向に貫通するボルト１１２によって、ステッププレート１０６の下面に連結固定され、スライドプレート１０４の凹部１０８内で回転可能に収容されている。また、ステッププレート１０６の上面には、滑り止めのゴムシート１１４が取り付けられている。
【００６０】
このような構成によって、ステッププレート１０６が支点球１１０を中心として、水平面内での回転運動（矢印Ｃ方向）、および全周方向において水平面に対して傾いた方向（矢印Ｄ方向）への移動が可能となる。
なお、ステッププレート１０６の外縁には、下方に向かって延びる突出部１０６ｃが形成され、この突出部１０６ｃが、スライドプレート１０４の上面の環状凹部１０４ａに当接することによって、ステッププレート１０６の傾斜範囲が規定される。
【００６１】
スライドレート１０４の上面の凹部１０８の周囲には、上方に向かって開口した８本の円柱状の孔部１１６が環状に配置されている。各孔部１１６は、円筒状のスプリング１１８と、略円柱状のプレート支持部材１２０とが収容されている。本実施形態の練習装置１００は、プレート支持部材１２０が下方に配置されたスプリング１１８によって上方に向けて付勢され、その上端部１２０ａが、各孔部１１６から上方に突出するように構成されている。
【００６２】
各孔部１１６の上方には、円環上の浮き止めカラー１２２が、ボルト１２４によってスライドプレート１０４の上面に固定されている。浮き止めカラー１２２には、各孔部１１６に対応した位置に複数の貫通孔１２６が形成されている。この貫通孔１２６からは、スプリング１１８によって上方に向けて付勢された浮き止めカラー１２２の上端部が突出するように構成されている。
【００６３】
浮き止めカラー１２２の上端部１２０ａは、ステッププレート１０６の下面に常時、当接し、ステッププレート１０６を水平位置に向けて付勢することになる。
【００６４】
図６に示されているように、ベースプレート１０２の中央には、ベースプレート１０２を厚さ方向に貫通する一対の長孔１４２が形成されている。
【００６５】
各長孔１４２は、図６に示されているように、ベースプレート１０２の下側面に向かって開口する幅広部１４２ａと、幅広部１４２ａの上に連通して配置されベースプレート１０２の上側面に向かって開口する幅狭部１４２ｂとを備えている。幅広部１４２ａと幅狭部１４２ｂとの間には、水平方向に延びる段部１４２ｃが形成されている。
【００６６】
各長孔１４２内には、円筒状のストッパ１４４が配置されている。ストッパ１４４は、円筒状の本体部１４４ａと本体部１４４ａの下端に設けられたフランジ１４４ｂとを備えている。このストッパ１４４は、上端がスライドプレート１０４の下面に形成された凹部１０４ａ内に挿入され、先端が凹部１０４ａにねじ込まれるボルト１４６によってスライドプレート１０４の下面に固定されている。
【００６７】
本体部１４４ａの外径は、本体部１４４ａが長孔１４２の幅狭部１４２ｂ内を摺動可能となるように、長孔１４２の幅狭部１４２ｂの幅と略等しく設定されている。このようにストッパ１４４の本体部１４４ａが長孔１４２の幅狭部１４２ｂ内を摺動することによって、ストッパ１４４の先端が固定されているスライドプレート１０４が、ベースプレート１０２に対し図９の矢印Ｅ方向にスライドすることになる。
【００６８】
ストッパ１４４の本体１４４ａの外周には、下方側から順に、円筒状の圧縮バネ１４７と円筒状のテンションカラー１４８が取付けられている。圧縮バネ１４６とテンションカラー１４８の外径は、長孔１４２の幅狭部１４２ｂの幅より大きく設定されている。この結果、ストッパ１４４がスライドプレート１０４の下面に固定された状態では、図１０に示されているように、テンションカラー１４８が圧縮バネ１４７によって、長孔１４２の段部１４２ｃに下側から押圧されている状態となる。このテンションカラー１４８と長孔１４２の段部１４２ｃとの間の摩擦抵抗によって、スライドプレート１０４のベースプレート２に対するスライド抵抗が決定される。
【００６９】
さらに、ベースプレート２の上面の長孔１４２の外方位置には、一対のスライド溝１５０が形成されている。
【００７０】
一方、スライドプレート１０４の下面の両側は、複数の半球状の凹部１５２が一直線状に形成されている。各凹部１５２には、金属または硬質樹脂性の硬球１５４の上側半部が、回転可能に収容されている。各硬球１５４の下側半部分は、ベースプレート１０２に形成されたスライド溝１５０に回転可能に受け入れられている。
【００７１】
このような構成によれば、ライドプレート１０４がベースプレート１０２に対してスライドする際に、上半部分がスライドプレート４の下面の凹部１５２に収容されている各硬球１５４が、ベースプレート２のスライド溝５０内を転がるので、ライドプレート１０４のベースプレート１０２に対するスライドが円滑になる。
【００７２】
第２実施形態の練習装置１００も、通常の使用では、２台の練習装置１００が、各練習装置１のスライド溝１５０が平行になるように並列配置される。そして、ステッププレート１０６のステップ部分１０６ｂの長手方向軸線がスライド溝１５０が延びる方向と直交する方向に配向するように、各練習装置１００のステッププレート１０６を並列状態に配置する。
【００７３】
そして、使用者は、各練習装置１のステッププレート１０６のステップ部分１０６ｂに、ステッププレート１０６のステップ部分１０６ｂの長手方向軸線が足の長手方向軸線を揃えるように左右の足をそれぞれ載せる。
【００７４】
このような構成によれば、使用者は、ステッププレート１０６に載せた足で、ステッププレート１０６を、支点球１１０を中心に水平面内で回転させ、さらに全周方向で傾斜させ、さらに旋回プレート１０６をベースプレート１０２に対してスライド溝１５０方向にスライドさせることができる。
【００７５】
この結果、足を回転（ピボット）させ且つ脚を開閉させながら、スキー操作におけるインエッジを立てる動き或いはアウトエッジを立てる動きに類似する三次元運動を体験することができる。
【００７６】
本発明は、上記実施形態に限定されることなく、特許請求の範囲に記載された技術的思想の範囲内で種々の変更、変形が可能である。
【符号の説明】
【００７７】
１：練習装置
２：ベースプレート
４：スライドプレート
６：旋回プレート
８：支点シャフト
１０：ステッププレート
１２：下方ガイド溝
１４：上方ガイド溝
２０：硬球
２２：支持ピン
３２：シャフト取付部
３６：シャフト保持部
４２：長孔
５０：スライド溝
５４：硬球
【図１】
2014097159.tif 000003
【図２】
2014097159.tif 000004
【図３】
2014097159.tif 000005
【図４】
2014097159.tif 000006
【図５】
2014097159.tif 000007
【図６】
2014097159.tif 000008
【図７】
2014097159.tif 000009
【図８】
2014097159.tif 000010
【図９】
2014097159.tif 000011
【図１０】
2014097159.tif 000012
【図１１】
2014097159.tif 000013